(57)【要約】【課題】本発明は、長形導光体と、これを用いた照明装置と、この照明装置を備えた照明必要機器に関するもので、長形形状体の長手方向において、この長形形状体の外周面の長手方向に形成した長形形状の出光面から、その短辺方向の内方に狭まる方向で、特定方向に均一に照明光を出射させることを目的とする。【解決手段】そして、この目的を達成するために本発明の長形導光体４は、少なくとも一端側に入光面５、外周面の長手方向に出光面６を有する長形形状体４ａにおいて、前記出光面６は、前記長形形状体４ａの外周面の長手方向に形成された長形形状とし、その短辺の中央部側が前記長形形状体４ａの内方側に窪んだ形状とし、この出光面６に対向する前記長形形状体の外周面には拡散部７を形成し、かつ、前記長形形状体４ａを長手方向において屈曲させたものである。【選択図】図２
2018052242.tif 000002
【特許請求の範囲】
【請求項１】
少なくとも一端側に入光面、外周面の長手方向に出光面を有する長形形状体において、
前記出光面は、前記長形形状体の外周面の長手方向に形成された長形形状とし、この出光面に対向する前記長形形状体の外周面には拡散部を形成し、この拡散部の両側に存在する長辺と、前記出光面の両側に存在する長辺とを結ぶ、前記長形形状体の外周面を反射面とし、前記出光面の、前記長形形状体の長手方向に直交する寸法を、前記拡散部の、長形形状体の長手方向に直交する寸法よりも長くし、かつ、前記長形形状体を長手方向において屈曲させた長形導光体。
【請求項２】
前記出光面は、その短辺の中央部側が前記長形形状体の内方側に窪んだ形状、あるいは外方側に突出した形状とした請求項１に記載の長形導光体。
【請求項３】
前記反射面は、前記長形形状体の外方側に膨出させた形状とした請求項１または２に記載の長形導光体。
【請求項４】
前記長形形状体は、前記出光面が屈曲外方、前記拡散部が屈曲内方となる屈曲形状とした請求項１または２に記載の長形導光体。
【請求項５】
前記長形形状体は、前記出光面が屈曲内方、前記拡散部が屈曲外方となる屈曲形状とした請求項１または２に記載の長形導光体。
【請求項６】
前記長形形状体は、前記出光面の一方の長辺側と前記拡散部を結ぶ面が屈曲内方、前記出光面の他方の長辺側と前記拡散部を結ぶ面が屈曲外方となる屈曲形状とした請求項１または２に記載の長形導光体。
【請求項７】
請求項１から６のいずれか一つの長形導光体の入光面に発光素子を対向配置した照明装置。
【請求項８】
請求項７に記載の照明装置を、その照明部に配置した照明必要機器。
【発明の詳細な説明】
【技術分野】
【０００１】
本発明は、各種の照明に用いられる長形導光体と、これを用いた照明装置と、この照明装置を備えた照明必要機器に関する。
【背景技術】
【０００２】
例えば自動車の車内照明として、長形導光体が用いられるようになってきた。
【０００３】
すなわち、一つの発光素子により必要とする細長いエリアの照明を行うことで、車内における照明効果を高めようとするものである。この長形導光体は、少なくとも一端側に入光面、外周面の長手方向に出光面を有する長形形状体において、前記出光面は、前記長形形状体の外周面の長手方向に形成された長形形状とし、この出光面に対向する前記長形形状体の外周面には拡散部を形成した形状となっている（これに類似する先行文献としては、例えば、下記特許文献１が存在する）。
【先行技術文献】
【特許文献】
【０００４】
【特許文献１】特開２０１２−２５６４４８号公報
【発明の概要】
【発明が解決しようとする課題】
【０００５】
上記従来例においては、その長手方向に形成された長形形状の出光面から車内に向けて光を出射させることができるので、必要とする細長いエリアの照明を行うことができる。
【０００６】
しかしながら、従来の長形導光体は、その出光面が外方に突出した断面円形状となっているので、この出光面から出射される光は、外方に向かって広く拡散される照明光となる。その結果として、本来照明しようとするエリア外にも照明光が到達し、例えば、自動車の車内においては、この光が運転にとっては好ましくない眩しさを感じさせるものになってしまう。
【０００７】
したがって、この長形導光体を、照明エリアに応じて屈曲させようとした場合、その照明光は予想を超えるエリアにまで到達することとなり、その結果として、長形導光体を屈曲させた状態で適切な照明を行うことができないものとなっていたい。
【０００８】
そこで、本発明は、長形形状体の長手方向において、この長形形状体の外周面の長手方向に形成した長形形状の出光面から、その短辺方向の内方に狭まる方向で、特定方向に均一に照明光を出射させることを目的とする。
【課題を解決するための手段】
【０００９】
そして、この目的を達成するために本発明の長形導光体は、少なくとも一端側に入光面、外周面の長手方向に出光面を有する長形形状体において、前記出光面は、前記長形形状体の外周面の長手方向に形成された長形形状とし、この出光面に対向する前記長形形状体の外周面には拡散部を形成し、この拡散部の両側に存在する長辺と、前記出光面の両側に存在する長辺とを結ぶ、前記長形形状体の外周面を反射面とし、前記出光面の、前記長形形状体の長手方向に直交する寸法を、前記拡散部の、長形形状体の長手方向に直交する寸法よりも長くし、かつ、前記長形形状体を長手方向において屈曲させたものである。
【発明の効果】
【００１０】
以上のように、本発明の長形導光体においては、その出光面が、前記長形形状体の外周面の長手方向に形成された長形形状となり、また、この出光面に対向する前記長形形状体の外周面には拡散部を形成し、さらに、この拡散部と出光面を結ぶ面を反射面とし、前記出光面の、前記長形形状体の長手方向に直交する寸法を、前記拡散部の、長形形状体の長手方向に直交する寸法よりも長くしているので、出光面から出射される照明光は、長形形状体の長手方向全体において、出光面だけから出射されるものとなる。このため、前記長形形状体を長手方向において屈曲させた場合でも、特定方向に均一に照明光を出射させることができる。
【図面の簡単な説明】
【００１１】
【図１】本発明の一実施形態にかかる長形導光体を設置した自動車の平面図。
【図２】同長形導光体の斜視図。
【図３】同長形導光体の断面図。
【図４】同長形導光体の平面図。
【図５】同長形導光体の一部拡大断面図。
【図６】（ａ）同長形導光体の斜視図、（ｂ）同長形導光体の拡大斜視図。
【図７】（ａ）同長形導光体の斜視図、（ｂ）同長形導光体の拡大斜視図。
【図８】本発明の他の実施形態にかかる長形導光体の斜視図。
【図９】本発明のさらに他の実施形態にかかる長形導光体の斜視図。
【図１０】同斜視図。
【図１１】図１０中のＡ−Ａ断面における拡大断面図。
【発明を実施するための形態】
【００１２】
以下、添付図面に基づいて本発明の実施形態について記述する。
【００１３】
図１において、１は、自動車で、その車内２の前方にはハンドル３が配置されている。このハンドル３の前方側には、水平方向に配置した長形導光体４が配置されている。この長形導光体４は、例えば、透明のアクリル樹脂などで形成され、図２、図３に示すように、  少なくとも一端側に入光面５、外周面の長手方向に出光面６を有する。
【００１４】
出光面６は、長形形状体４ａの外周面の長手方向に形成された長形形状となり、図３に示すように、その短辺方向の中央部側が長形形状体４ａの内方側に窪んだ形状となり、また、この出光面６に対向する長形形状体４ａの外周面には拡散部７が形成されている。前記拡散部７は、図４、図５に示すように、前記長形形状体４ａの長手方向に直交する複数の溝８を形成することで構成されている。図３に示すように、この拡散部７よりも、出光面６は、前記長形形状体４ａの長手方向に直交する方向の幅が大きくなっている。
【００１５】
すなわち、この拡散部７と出光面６を結ぶ面を反射面９とし、出光面６の、長形形状体４ａの長手方向に直交する寸法を、拡散部７の、長形形状体４ａの長手方向に直交する寸法よりも長くしているので、出光面６から出射される照明光は、長形形状体４ａの長手方向全体において、出光面６だけから出射されるものとなる。
【００１６】
そして、このような構成において、長形形状体４ａは、長手方向において屈曲させた構成となっている。
【００１７】
また、長形形状体４ａの外周面で出光面６の長辺側と拡散部７を結ぶ反射面９は、図３に示すように、長形形状体４ａの外方側に膨出させた形状とし、この反射面９は、拡散部７で反射、拡散した照明光を出光面６へ反射により導く為の側面となっている。
【００１８】
つまり、本実施形態においては、長形形状体４ａをその長手方向において屈曲させることで運転席の前方部分において、適切な照明を行おうとするものである。図示していないが、そのために、入光面５には、発光素子（図示せず）が対向配置されている。
以上の構成において、本実施形態では、長形形状体４ａの出光面６が、長形形状体４ａの外周面の長手方向に形成された長形形状となり、また、その短辺の中央部側が前記長形形状体４ａの内方側に窪んだ形状となり、さらに、この出光面６に対向する前記長形形状体４ａの外周面には拡散部７を形成しているので、出光面６から出射される照明光は、長形形状体４ａの長手方向全体において、その短辺方向の内方に狭まる方向に出射されるものとなる。このため、前記長形形状体４ａを長手方向において屈曲させた場合でも、特定方向に均一に照明光を出射させることができる。
また、本実施形態の長形形状体４ａは、出光面６が屈曲外方、拡散部７が屈曲内方となる屈曲形状としている。
また、このような屈曲形状とした場合で、出光面６の屈曲部においては、図６に示すように、長手方向に伸びた形状となっており、さらに、その直交する幅方向は狭くなっており、全体としてこの屈曲部における出光面６の面積は屈曲しないものと、ほぼ変わらぬものになる。
また、拡散部７の屈曲部は図７に示すように、長手方向は短くなっており、さらに、その直交する幅方向は広くなっており、全体としてこの屈曲部における拡散部７の面積は、屈曲させないものと、ほぼ変わらぬものになる。
したがって、この屈曲部における長形形状体４ａの輝度は他の直線部分とほぼ同じ状態となり、照明の違和感のないものとしている。
図８は、本発明の他の実施形態を示し、この実施形態では、長形形状体４ａは、出光面６が屈曲内方、前記拡散部が屈曲外方となる屈曲形状としたものである。
このような構成とした場合でも、出光面６の屈曲部は図８に示すように、長手方向に直交する幅方向は広くしており、全体としてこの屈曲部における出光面６の面積は、屈曲させないものと、ほぼ変わらぬものになる。
また、拡散部７の屈曲部は図８に示すように、長手方向に直交する幅方向は狭くしており、全体としてこの屈曲部における拡散部７の面積は、屈曲していないものと、ほぼ変わらぬものになる。
したがって、この屈曲部における長形形状体４ａの輝度は他の直線部分とほぼ同じ状態となり、照明の違和感のないものとなる。
図９から図１１は、長形形状体４ａは、出光面６の一方の長辺側と拡散部７を結ぶ反射面９が屈曲内方、出光面６の他方の長辺側と拡散部７を結ぶ反射面９が屈曲外方となる屈曲形状とした。
このような構成とした場合でも、出光面６の屈曲部は図９に示すように、内方は縮んだ形状、外方は伸ばした形状としており、全体としてこの屈曲部における出光面６の面積は、屈曲していないものと、ほぼ変わらぬものになる。
また、拡散部７の屈曲部は図９に示すように、内方は縮んだ形状、外方は伸びた形状となり、全体としてこの屈曲部における拡散部７の面積は、屈曲していないものと、ほぼ変わらぬものになる。また、本実施形態においては、内方の反射面９は縮んだ形状、外方の反射面９は伸びた形状としており、つまり、全体としてこの屈曲部における反射面９の面積は屈曲させないものと、ほぼ変わらぬものになる。
さらに、拡散部７は、内方側が上方となる傾斜状態となるので、ここで反射、拡散する照明光は、外方側の伸ばした反射面９に向かうこととなり、これにより反射、拡散作用は折り曲げ前とほぼ変わらぬものになる。
したがって、この屈曲部における長形形状体４ａの輝度は他の直線部分とほぼ同じ状態となり、照明の違和感のないものとなる。なお、上記実施形態では、出光面６を、その短辺の中央部側が前記長形形状体４ａの内方側に窪んだ形状としたが、拡散部７で拡散された光が取り出される形状であればよく、取り出したい方向に応じて、例えば、その短辺の中央部側が前記長形形状体４ａの外方側に膨出した曲面形状等、または、拡散部７に対して
平行な平面、傾斜した平面の平面形状等、としてもよい。
また、拡散部７は、溝８により形成したが、ここはサンドブラスト処理や、二色成形、拡散面印刷によって形成してもよい。
以上のような、三つの実施形態で示した長形形状体４ａは、その両端の少なくとも一つの入光面５に発光素子を対向配置した照明装置となり、この照明装置は、自動車の車内や、キッチンセットや、洗面化粧台セット、等の照明必要機器に設置される。
【符号の説明】
【００１９】
１  自動車
２  車内
３  ハンドル
４  長形導光体
４ａ  長形形状体
５  入光面
６  出光面
７  拡散部
８  溝
９  反射面
【図１】
2018052242.tif 000003
【図２】
2018052242.tif 000004
【図３】
2018052242.tif 000005
【図４】
2018052242.tif 000006
【図５】
2018052242.tif 000007
【図６】
2018052242.tif 000008
【図７】
2018052242.tif 000009
【図８】
2018052242.tif 000010
【図９】
2018052242.tif 000011
【図１０】
2018052242.tif 000012
【図１１】
2018052242.tif 000013